【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
無線周波数スペクトルの第１のチャネルへのアクセスを求めて競合することであって、前記競合することが、第１の無線アクセス技術に従って動作する第１のノードによって行われる、競合することと、
前記第１のチャネルへのアクセスを求める競合に勝つことに伴って、第１のチャネル予約指示を送信することであって、前記第１のチャネル予約指示が、第２の無線アクセス技術に従って動作する第２のノードによって復号可能である、送信することと、
前記第１のチャネルへのアクセスを求める競合に勝つことに伴って、チャネル使用ビーコン信号（ＣＵＢＳ）またはフラクショナルＣＵＢＳ（Ｆ−ＣＵＢＳ）のうちの少なくとも１つを送信することと
を備え、
ここにおいて、前記第１のチャネル予約指示を送信することは、前記ＣＵＢＳを送信する前、前記ＣＵＢＳを送信した後、前記Ｆ−ＣＵＢＳと前記ＣＵＢＳとを送信する前、前記Ｆ−ＣＵＢＳを送信した後および前記ＣＵＢＳを送信する前、または前記Ｆ−ＣＵＢＳと前記ＣＵＢＳとを送信した後のうちの１つ中に行われる、方法。
【請求項２】
前記第１のチャネル予約指示を送信することは、
前記無線周波数スペクトルの少なくとも前記第１のチャネル上で前記第１のチャネル予約指示を送信することを備える、請求項１に記載の方法。
【請求項３】
前記第１のチャネル予約指示を送信することは、
前記無線周波数スペクトルの少なくとも第２のチャネル上で前記第１のチャネル予約指示を送信することを備える、請求項１に記載の方法。
【請求項４】
少なくとも前記第２のチャネル上で前記第１のチャネル予約指示を送信することは、
複数のチャネル上で前記第１のチャネル予約指示を送信することを備える、請求項３に記載の方法。
【請求項５】
前記第２のノードによって使用される１次チャネルを識別することをさらに備え、
ここにおいて、前記第１のチャネル予約指示を送信することは、前記第２のノードによって使用される前記１次チャネル上で前記第１のチャネル予約指示を送信することを備える、請求項１に記載の方法。
【請求項６】
前記第１のチャネル予約指示を送信することは、
前記無線周波数スペクトルの少なくとも１つのチャネル上で前記第１のチャネル予約指示を送信することを備え、前記無線周波数スペクトルの前記１つのチャネル上で送信される前記第１のチャネル予約指示は、前記第１の無線アクセス技術によって占有される少なくとも１つの他のチャネルを示す、請求項１に記載の方法。
【請求項７】
前記第１のチャネルまたは前記第２のチャネルのうちの少なくとも１つを介して前記第１のチャネル予約指示を送信するように第３のノードに命令すること
をさらに備える、請求項１に記載の方法。
【請求項８】
前記第１のチャネル予約指示を送信するように第３のノードに命令することと、アップリンク許可または無線リソース制御（ＲＲＣ）シグナリングメッセージのうちの少なくとも１つ中で指示を前記ＵＥに与えることと
をさらに備え、
ここにおいて、前記第１のノードは基地局を備え、前記第３のノードはユーザ機器（ＵＥ）を備える、請求項１に記載の方法。
【請求項９】
前記第１のチャネル予約指示はＷｉ−ＦｉプリアンブルまたはＷｉ−Ｆｉパケットを備える、請求項１に記載の方法。
【請求項１０】
前記第１のノードは、前記第１の無線アクセス技術に従う前記第１のチャネルを使用しているという指示を前記Ｗｉ−Ｆｉプリアンブル中に含めることをさらに備える、請求項９に記載の方法。
【請求項１１】
前記第１のチャネル予約指示の送信に続く時間期間の間、前記第１のチャネル上で、前記第１のノードから第３のノードへの送信を遅延させることをさらに備え、前記時間期間は、前記第２のノードが前記第１のチャネル予約指示に反応することを可能にする、請求項１に記載の方法。
【請求項１２】
前記第１のチャネル予約指示は、時間期間の間少なくとも前記第１のチャネルを予約することに関連し、前記方法は、
前記第１のノードによる前記第１のチャネルの予約を拡張するために、前記第１のチャネル予約指示から時間的に分離された第２のチャネル予約指示を送信することをさらに備える、請求項１に記載の方法。
【請求項１３】
複数の所定のチャネル予約指示の中から前記第１のチャネル予約指示を選択することをさらに備え、前記選択することは、前記第１のチャネルへのアクセスを求める競合に勝つことに関するサブフレーム境界の相対的タイミングまたはシンボル期間境界の相対的タイミングのいずれか、あるいは前記第１のチャネルへのアクセスを求める競合に勝った後の意図されたチャネル占有に少なくとも部分的に基づく、請求項１に記載の方法。
【請求項１４】
前記Ｆ−ＣＵＢＳまたは前記ＣＵＢＳを送信することに関する前記第１のチャネル予約指示を送信するための時間を選択することをさらに備え、前記時間は、前記第１のチャネルへのアクセスを求める競合に勝つことに関するサブフレーム境界またはシンボル期間境界の相対的タイミングに少なくとも部分的に基づいて選択される、請求項１に記載の方法。
【請求項１５】
ワイヤレス通信のための装置であって、
プロセッサと、
前記プロセッサと電子通信しているメモリと、
前記メモリに記憶された命令と
を備え、前記命令は、
無線周波数スペクトルの第１のチャネルへのアクセスを求めて競合することであって、前記競合することが、第１の無線アクセス技術に従って動作する第１のノードによって行われる、競合することと、
前記第１のチャネルへのアクセスを求める競合に勝つことに伴って、第１のチャネル予約指示を送信することであって、前記第１のチャネル予約指示が、第２の無線アクセス技術に従って動作する第２のノードによって復号可能である、送信することと、
前記第１のチャネルへのアクセスを求める競合に勝つことに伴って、チャネル使用ビーコン信号（ＣＵＢＳ）またはフラクショナルＣＵＢＳ（Ｆ−ＣＵＢＳ）のうちの少なくとも１つを送信することと
をするために前記プロセッサによって実行可能であり、
ここにおいて、前記第１のチャネル予約指示を送信することは、前記ＣＵＢＳを送信する前、前記ＣＵＢＳを送信した後、前記Ｆ−ＣＵＢＳと前記ＣＵＢＳとを送信する前、前記Ｆ−ＣＵＢＳを送信した後および前記ＣＵＢＳを送信する前、または前記Ｆ−ＣＵＢＳと前記ＣＵＢＳとを送信した後のうちの１つ中に行われる、装置。
【請求項１６】
前記第１のチャネル予約指示を送信するために前記プロセッサによって実行可能な前記命令は、
前記無線周波数スペクトルの前記第１のチャネル、または前記無線周波数スペクトルの第２のチャネルの少なくともいずれかの上で前記第１のチャネル予約指示を送信するために前記プロセッサによって実行可能な命令を備える、請求項１５に記載の装置。
【請求項１７】
前記第２のチャネルは、前記第１のチャネルに隣接する、前記第１のチャネルと同じ無線周波数スペクトルバンド内にある、または前記第１のチャネルと同じ無線周波数スペクトルサブバンド内にある、のうちの少なくとも１つである、請求項１６に記載の装置。
【請求項１８】
前記命令は、
前記第２のノードによって使用される１次チャネルを識別するために前記プロセッサによって実行可能であり、
ここにおいて、前記第１のチャネル予約指示を送信するために前記プロセッサによって実行可能な前記命令は、前記第２のノードによって使用される前記１次チャネル上で前記第１のチャネル予約指示を送信するために前記プロセッサによって実行可能な命令を備える、請求項１５に記載の装置。
【請求項１９】
前記第１のチャネル予約指示を送信するために前記プロセッサによって実行可能な前記命令は、
前記無線周波数スペクトルの少なくとも１つのチャネル上で前記第１のチャネル予約指示を送信するために前記プロセッサによって実行可能な命令を備え、前記無線周波数スペクトルの前記１つのチャネル上で送信される前記第１のチャネル予約指示は、前記第１の無線アクセス技術によって占有される少なくとも１つの他のチャネルを示す、請求項１５に記載の装置。
【請求項２０】
前記命令は、
複数の所定のチャネル予約指示の中から前記第１のチャネル予約指示を選択するために前記プロセッサによって実行可能であり、前記選択することは、前記第１のチャネルへのアクセスを求める競合に勝つことに関するサブフレーム境界の相対的タイミングまたはシンボル期間境界の相対的タイミングのいずれか、あるいは前記第１のチャネルへのアクセスを求める競合に勝った後の意図されたチャネル占有に少なくとも部分的に基づく、請求項１５に記載の装置。
【請求項２１】
ワイヤレス通信のための装置であって、
無線周波数スペクトルの第１のチャネルへのアクセスを求めて競合するための手段であって、前記競合することが、第１の無線アクセス技術に従って動作する第１のノードによって行われる、競合するための手段と、
前記第１のチャネルへのアクセスを求める競合に勝つことに伴って、第１のチャネル予約指示を送信するための手段であって、前記第１のチャネル予約指示が、第２の無線アクセス技術に従って動作する第２のノードによって復号可能である、送信するための手段と、
前記第１のチャネルへのアクセスを求める競合に勝つことに伴って、チャネル使用ビーコン信号（ＣＵＢＳ）またはフラクショナルＣＵＢＳ（Ｆ−ＣＵＢＳ）のうちの少なくとも１つを送信するための手段と
を備え、
ここにおいて、前記第１のチャネル予約指示を送信するための前記手段は、前記ＣＵＢＳを送信する前、前記ＣＵＢＳを送信した後、前記Ｆ−ＣＵＢＳと前記ＣＵＢＳとを送信する前、前記Ｆ−ＣＵＢＳを送信した後および前記ＣＵＢＳを送信する前、または前記Ｆ−ＣＵＢＳと前記ＣＵＢＳとを送信した後のうちの１つ中に行われる、装置。
【請求項２２】
前記第２のノードによって使用される１次チャネルを識別するための手段をさらに備え、
ここにおいて、前記第１のチャネル予約指示を送信するための前記手段は、前記第２のノードによって使用される前記１次チャネル上で前記第１のチャネル予約指示を送信するための手段を備える、請求項２１に記載の装置。
【請求項２３】
前記第１のチャネル予約指示を送信するための前記手段は、
前記無線周波数スペクトルの少なくとも１つのチャネル上で前記第１のチャネル予約指示を送信するための手段を備え、前記無線周波数スペクトルの前記１つのチャネル上で送信される前記第１のチャネル予約指示は、前記第１の無線アクセス技術によって占有される少なくとも１つの他のチャネルを示す、
請求項２１に記載の装置。
【請求項２４】
前記第１のチャネル予約指示の送信に続く時間期間の間、前記第１のチャネル上で、前記第１のノードから第３のノードへの送信を遅延させるための手段
をさらに備え、前記時間期間は、前記第２のノードが前記第１のチャネル予約指示に反応することを可能にする、請求項２１に記載の装置。
【請求項２５】
前記第１のチャネル予約指示は、時間期間の間少なくとも前記第１のチャネルを予約することに関連し、前記装置は、
前記第１のノードによる前記第１のチャネルの予約を拡張するために、前記第１のチャネル予約指示から時間的に分離された第２のチャネル予約指示を送信するための手段をさらに備える、請求項２１に記載の装置。
【請求項２６】
複数の所定のチャネル予約指示の中から前記第１のチャネル予約指示を選択するための手段をさらに備え、前記選択することは、前記第１のチャネルへのアクセスを求める競合に勝つことに関するサブフレーム境界の相対的タイミングまたはシンボル期間境界の相対的タイミングのいずれか、あるいは前記第１のチャネルへのアクセスを求める競合に勝った後の意図されたチャネル占有に少なくとも部分的に基づく、請求項２１に記載の装置。
【請求項２７】
前記Ｆ−ＣＵＢＳまたは前記ＣＵＢＳを送信することに関する前記第１のチャネル予約指示を送信するための時間を選択するための手段をさらに備え、前記時間は、前記第１のチャネルへのアクセスを求める競合に勝つことに関するサブフレーム境界またはシンボル期間境界の相対的タイミングに少なくとも部分的に基づいて選択される、請求項２１に記載の装置。
【請求項２８】
無線周波数スペクトルの第１のチャネルへのアクセスを求めて競合するための命令であって、前記競合することが、第１の無線アクセス技術に従って動作する第１のノードによって行われる、競合するための命令と、
前記第１のチャネルへのアクセスを求める競合に勝つことに伴って、第１のチャネル予約指示を送信するための命令であって、前記第１のチャネル予約指示が、第２の無線アクセス技術に従って動作する第２のノードによって復号可能である、送信するための命令と、
前記第１のチャネルへのアクセスを求める競合に勝つことに伴って、チャネル使用ビーコン信号（ＣＵＢＳ）またはフラクショナルＣＵＢＳ（Ｆ−ＣＵＢＳ）のうちの少なくとも１つを送信するための命令と
を備え、
ここにおいて、前記第１のチャネル予約指示を送信することは、前記ＣＵＢＳを送信する前、前記ＣＵＢＳを送信した後、前記Ｆ−ＣＵＢＳと前記ＣＵＢＳとを送信する前、前記Ｆ−ＣＵＢＳを送信した後および前記ＣＵＢＳを送信する前、または前記Ｆ−ＣＵＢＳと前記ＣＵＢＳとを送信した後のうちの１つ中に行われる、
プロセッサによって実行可能な命令を記憶するための非一時的コンピュータ可読媒体。
【手続補正２】
【補正対象書類名】明細書
【補正対象項目名】０１６６
【補正方法】変更
【補正の内容】
【０１６６】
[0179]  本開示についての以上の説明は、当業者が本開示を作成または使用できるように与えたものである。本開示への様々な変更は当業者には容易に明らかとなり、本明細書で定義された一般原理は、本開示の範囲から逸脱することなく他の変形形態に適用され得る。従って、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信の方法であって、
無線周波数スペクトルの第１のチャネルへのアクセスを求めて競合することであって、前記競合することが、第１の無線アクセス技術に従って動作する第１のノードによって行われる、競合することと、
前記第１のチャネルへのアクセスを求める競合に勝つことに伴って、第１のチャネル予約指示を送信することであって、前記第１のチャネル予約指示が、第２の無線アクセス技術に従って動作する第２のノードによって理解される、送信することと
を備える、方法。
［Ｃ２］
前記第１のチャネル予約指示を送信することは、
前記無線周波数スペクトルの少なくとも前記第１のチャネル上で前記第１のチャネル予約指示を送信することを備える、Ｃ１に記載の方法。
［Ｃ３］
前記第１のチャネル予約指示を送信することは、
前記無線周波数スペクトルの少なくとも第２のチャネル上で前記第１のチャネル予約指示を送信することを備える、Ｃ１に記載の方法。
［Ｃ４］
少なくとも前記第２のチャネル上で前記第１のチャネル予約指示を送信することは、  複数のチャネル上で前記第１のチャネル予約指示を送信することを備える、Ｃ３に記載の方法。
［Ｃ５］
前記第２のノードによって使用される１次チャネルを識別することをさらに備え、
ここにおいて、前記第１のチャネル予約指示を送信することは、前記第２のノードによって使用される前記１次チャネル上で前記第１のチャネル予約指示を送信することを備える、Ｃ１に記載の方法。
［Ｃ６］
前記第１のチャネル予約指示を送信することは、
前記無線周波数スペクトルの少なくとも１つのチャネル上で前記第１のチャネル予約指示を送信することを備え、前記無線周波数スペクトルの前記１つのチャネル上で送信される前記第１のチャネル予約指示は、前記第１の無線アクセス技術によって占有される少なくとも１つの他のチャネルを示す、Ｃ１に記載の方法。
［Ｃ７］
前記第１のチャネルまたは前記第２のチャネルのうちの少なくとも１つを介して前記第１のチャネル予約指示を送信するように第３のノードに命令すること
をさらに備える、Ｃ１に記載の方法。
［Ｃ８］
前記第１のチャネル予約指示を送信するように第３のノードに命令することと、アップリンク許可または無線リソース制御（ＲＲＣ）シグナリングメッセージのうちの少なくとも１つ中で指示を前記ＵＥに与えることと
をさらに備え、
ここにおいて、前記第１のノードは基地局を備え、前記第３のノードはユーザ機器（ＵＥ）を備える、Ｃ１に記載の方法。
［Ｃ９］
前記第１のチャネル予約指示はＷｉ−ＦｉプリアンブルまたはＷｉ−Ｆｉパケットを備える、Ｃ１に記載の方法。
［Ｃ１０］
前記第１のノードは、
前記第１の無線アクセス技術に従う前記第１のチャネルを使用しているという指示を前記Ｗｉ−Ｆｉプリアンブル中に含めることをさらに備える、Ｃ９に記載の方法。
［Ｃ１１］
前記第１のチャネル予約指示の送信に続く時間期間の間、前記第１のチャネル上で、前記第１のノードから第３のノードへの送信を遅延させることをさらに備え、前記時間期間は、前記第２のノードが前記第１のチャネル予約指示に反応することを可能にする、Ｃ１に記載の方法。
［Ｃ１２］
前記第１のチャネル予約指示は、時間期間の間少なくとも前記第１のチャネルを予約するために前記第２のノードによって理解され、前記方法は、
前記第１のノードによる前記第１のチャネルの予約を拡張するために、前記第１のチャネル予約指示から時間的に分離された第２のチャネル予約指示を送信することをさらに備える、Ｃ１に記載の方法。
［Ｃ１３］
複数の所定のチャネル予約指示の中から前記第１のチャネル予約指示を選択することをさらに備え、前記選択することは、前記第１のチャネルへのアクセスを求める競合に勝つことに関するサブフレーム境界の相対的タイミングまたはシンボル期間境界の相対的タイミングのいずれか、あるいは前記第１のチャネルへのアクセスを求める競合に勝った後の意図されたチャネル占有に少なくとも部分的に基づく、Ｃ１に記載の方法。
［Ｃ１４］
前記第１のチャネルへのアクセスを求める競合に勝つことに伴って、チャネル使用ビーコン信号（ＣＵＢＳ）またはフラクショナルＣＵＢＳ（Ｆ−ＣＵＢＳ）のうちの少なくとも１つを送信することをさらに備え、
ここにおいて、前記第１のチャネル予約指示を送信することは、前記ＣＵＢＳを送信する前、前記ＣＵＢＳを送信した後、前記Ｆ−ＣＵＢＳと前記ＣＵＢＳとを送信する前、前記Ｆ−ＣＵＢＳを送信した後および前記ＣＵＢＳを送信する前、または前記Ｆ−ＣＵＢＳと前記ＣＵＢＳとを送信した後のうちの１つ中に行われる、Ｃ１に記載の方法。
［Ｃ１５］
前記Ｆ−ＣＵＢＳまたは前記ＣＵＢＳを送信することに関する前記第１のチャネル予約指示を送信するための時間を選択することをさらに備え、前記時間は、前記第１のチャネルへのアクセスを求める競合に勝つことに関するサブフレーム境界またはシンボル期間境界の相対的タイミングに少なくとも部分的に基づいて選択される、Ｃ１４に記載の方法。
［Ｃ１６］
ワイヤレス通信のための装置であって、
プロセッサと、
前記プロセッサと電子通信しているメモリと、
前記メモリに記憶された命令と
を備え、前記命令は、
無線周波数スペクトルの第１のチャネルへのアクセスを求めて競合することであって、前記競合することが、第１の無線アクセス技術に従って動作する第１のノードによって行われる、競合することと、
前記第１のチャネルへのアクセスを求める競合に勝つことに伴って、第１のチャネル予約指示を送信することであって、前記第１のチャネル予約指示が、第２の無線アクセス技術に従って動作する第２のノードによって理解される、送信することと
をするために前記プロセッサによって実行可能である、装置。
［Ｃ１７］
前記第１のチャネル予約指示を送信するために前記プロセッサによって実行可能な前記命令は、
前記無線周波数スペクトルの前記第１のチャネル、または前記無線周波数スペクトルの第２のチャネルの少なくともいずれかの上で前記第１のチャネル予約指示を送信するために前記プロセッサによって実行可能な命令を備える、Ｃ１６に記載の装置。
［Ｃ１８］
前記第２のチャネルは、前記第１のチャネルに隣接する、前記第１のチャネルと同じ無線周波数スペクトルバンド内にある、または前記第１のチャネルと同じ無線周波数スペクトルサブバンド内にある、のうちの少なくとも１つである、Ｃ１６に記載の装置。
［Ｃ１９］
前記命令は、
前記第２のノードによって使用される１次チャネルを識別するために前記プロセッサによって実行可能であり、
ここにおいて、前記第１のチャネル予約指示を送信するために前記プロセッサによって実行可能な前記命令は、前記第２のノードによって使用される前記１次チャネル上で前記第１のチャネル予約指示を送信するために前記プロセッサによって実行可能な命令を備える、Ｃ１６に記載の装置。
［Ｃ２０］
前記第１のチャネル予約指示を送信するために前記プロセッサによって実行可能な前記命令は、
前記無線周波数スペクトルの少なくとも１つのチャネル上で前記第１のチャネル予約指示を送信するために前記プロセッサによって実行可能な命令を備え、前記無線周波数スペクトルの前記１つのチャネル上で送信される前記第１のチャネル予約指示は、前記第１の無線アクセス技術によって占有される少なくとも１つの他のチャネルを示す、Ｃ１６に記載の装置。
［Ｃ２１］
前記命令は、
複数の所定のチャネル予約指示の中から前記第１のチャネル予約指示を選択するために前記プロセッサによって実行可能であり、前記選択することは、前記第１のチャネルへのアクセスを求める競合に勝つことに関するサブフレーム境界の相対的タイミングまたはシンボル期間境界の相対的タイミングのいずれか、あるいは前記第１のチャネルへのアクセスを求める競合に勝った後の意図されたチャネル占有に少なくとも部分的に基づく、Ｃ１６に記載の装置。
［Ｃ２２］
ワイヤレス通信のための装置であって、
無線周波数スペクトルの第１のチャネルへのアクセスを求めて競合するための手段であって、前記競合することが、第１の無線アクセス技術に従って動作する第１のノードによって行われる、競合するための手段と、
前記第１のチャネルへのアクセスを求める競合に勝つことに伴って、第１のチャネル予約指示を送信するための手段であって、前記第１のチャネル予約指示が、第２の無線アクセス技術に従って動作する第２のノードによって理解される、送信するための手段と
を備える、装置。
［Ｃ２３］
前記第２のノードによって使用される１次チャネルを識別するための手段をさらに備え、
ここにおいて、前記第１のチャネル予約指示を送信するための前記手段は、前記第２のノードによって使用される前記１次チャネル上で前記第１のチャネル予約指示を送信するための手段を備える、Ｃ２２エラー！参照元不明に記載の装置。
［Ｃ２４］
前記第１のチャネル予約指示を送信するための前記手段は、
前記無線周波数スペクトルの少なくとも１つのチャネル上で前記第１のチャネル予約指示を送信するための手段を備え、前記無線周波数スペクトルの前記１つのチャネル上で送信される前記第１のチャネル予約指示は、前記第１の無線アクセス技術によって占有される少なくとも１つの他のチャネルを示す、
Ｃ２２に記載の装置。
［Ｃ２５］
前記第１のチャネル予約指示の送信に続く時間期間の間、前記第１のチャネル上で、前記第１のノードから第３のノードへの送信を遅延させるための手段
をさらに備え、前記時間期間は、前記第２のノードが前記第１のチャネル予約指示に反応することを可能にする、Ｃ２２に記載の装置。
［Ｃ２６］
前記第１のチャネル予約指示は、時間期間の間少なくとも前記第１のチャネルを予約するために前記第２のノードによって理解され、前記装置は、
前記第１のノードによる前記第１のチャネルの予約を拡張するために、前記第１のチャネル予約指示から時間的に分離された第２のチャネル予約指示を送信するための手段をさらに備える、Ｃ２２に記載の装置。
［Ｃ２７］
複数の所定のチャネル予約指示の中から前記第１のチャネル予約指示を選択するための手段をさらに備え、前記選択することは、前記第１のチャネルへのアクセスを求める競合に勝つことに関するサブフレーム境界の相対的タイミングまたはシンボル期間境界の相対的タイミングのいずれか、あるいは前記第１のチャネルへのアクセスを求める競合に勝った後の意図されたチャネル占有に少なくとも部分的に基づく、Ｃ２２に記載の装置。
［Ｃ２８］
前記第１のチャネルへのアクセスを求める競合に勝つことに伴って、チャネル使用ビーコン信号（ＣＵＢＳ）またはフラクショナルＣＵＢＳ（Ｆ−ＣＵＢＳ）のうちの少なくとも１つを送信するための手段をさらに備え、
ここにおいて、前記第１のチャネル予約指示を送信するための前記手段は、前記ＣＵＢＳを送信する前、前記ＣＵＢＳを送信した後、前記Ｆ−ＣＵＢＳと前記ＣＵＢＳとを送信する前、前記Ｆ−ＣＵＢＳを送信した後および前記ＣＵＢＳを送信する前、または前記Ｆ−ＣＵＢＳと前記ＣＵＢＳとを送信した後のうちの１つ中に行われる、Ｃ２２に記載の装置。
［Ｃ２９］
前記Ｆ−ＣＵＢＳまたは前記ＣＵＢＳを送信することに関する前記第１のチャネル予約指示を送信するための時間を選択するための手段をさらに備え、前記時間は、前記第１のチャネルへのアクセスを求める競合に勝つことに関するサブフレーム境界またはシンボル期間境界の相対的タイミングに少なくとも部分的に基づいて選択される、Ｃ２８に記載の装置。
［Ｃ３０］
無線周波数スペクトルの第１のチャネルへのアクセスを求めて競合するための命令であって、前記競合することが、第１の無線アクセス技術に従って動作する第１のノードによって行われる、競合するための命令と、
前記第１のチャネルへのアクセスを求める競合に勝つことに伴って、第１のチャネル予約指示を送信するための命令であって、前記第１のチャネル予約指示が、第２の無線アクセス技術に従って動作する第２のノードによって理解される、送信するための命令と
を備える、プロセッサによって実行可能な命令を記憶するための非一時的コンピュータ可読媒体。